(57)【特許請求の範囲】
【請求項１】
貯湯用の容器と、この容器の底部下面に印刷で形成した第１の絶縁層と第１の絶縁層上に印刷で形成した電気抵抗体層と前記第１の絶縁層と電気抵抗体層上に印刷で形成した第２の絶縁層とを備えた加熱部と、前記電気抵抗体層に電気的に接続した端子とを備え、前記容器の底部には加熱部を中央部とその外周部に区分する位置に凹部を設け、前記凹部は環状に形成し、少なくとも１カ所は加熱部の中央部と外周部とを同一面で結ぶようにした電気湯沸かし器。
【請求項２】
容器の底部は下方に略球面状に湾曲させた請求項１記載の電気湯沸かし器。
【発明の詳細な説明】
【０００１】
【発明の属する技術分野】
本発明は主として一般家庭または事務所等で使用される電気湯沸かし器に関するものである。
【０００２】
【従来の技術】
従来のこの種の電気湯沸かし器を図４及び図５に基づいて説明する。図において１は上部を開口した貯湯用の容器であり、ステンレス鋼板等を絞り加工または溶接加工等で形成されている。２は容器１の底部下面に内方に向かって形成された凹部である。３は凹部２の内側に収納される加熱装置である。加熱装置３は、容器１側つまり上側から集成マイカを打ち抜いて形成された第１の絶縁物５、ステンレス鋼板を打ち抜いて形成して約１０００ワットの消費電力がある湯沸かし電熱線５、集成マイカで形成した第２の絶縁物６、ステンレス鋼板を打ち抜いて形成した約１００ワットの消費電力がある保温電熱線７、集成マイカで形成された第３の絶縁物８で構成されている。９はアルミ鍍金鋼板等をプレス加工して形成したシーム板で、容器１の底部側から抵抗溶接で外周と中央付近とを溶接して、加熱装置３を凹部２に収納して下方から凹部２に圧接している。
【０００３】
１０は加熱装置３への通電を制御する制御回路であり、上下に分割できる防水ケースに収納されて容器１の下方に位置している。１１は容器１の下に位置して一端を容器１の底部に連通し、他端を給湯口１２に連通した送水装置である遠心ポンプである。１３は凹部２の中央下面に備えられたサーミスタで形成された温度検知素子であり、凹部２を介して容器１内の温度を検知する。１４は上記各部をカバーした外装体である。１５は湯沸かし器の蓋である。
【０００４】
以上の構成において、水を容器１に所定量入れ、加熱装置３に通電すると、制御回路１０の制御により、湯沸かし時には湯沸かし電熱線５と保温電熱線７に通電して合計１１００ワットの電力で湯沸かしする。加熱装置３で発生した熱は容器１の凹部２を通って容器１内の水を加熱する。このとき湯沸かし電熱線５の温度は約５００度に達しており、またシーム板９の温度は約２５０度に達している。温度検知素子１３は容器１内の湯温を検知し、やがて温度検知素子１３が沸騰を検知して制御回路１０は湯沸かし電熱線５への通電を停止する。湯沸かし電熱線５への通電を断電した直後は、加熱装置３とシーム板９の温度が１００度以上であるので、数十秒間は容器１底面の凹部２の各部から蒸気の気泡が発生し続ける。やがて加熱装置３とシーム板９の温度が１００度以下になると、蒸気の気泡の発生が停止する。以降は制御回路１０が保温電熱線７への通電を制御して容器１内の湯温を約９５度に維持する。このとき制御回路１０はまず温度検知素子１３の温度を信号として入力し、保温電熱線７へ通電するが、通電当初は加熱装置３全体を加熱して温度上昇させる必要があり、やがて加熱装置３全体が加熱されると、次に凹部２を通して容器１内の湯を加熱することとなる。このときシーム板９の温度は約１１０度である。
【０００５】
なお、湯沸かし時も保温時も加熱装置３へ通電しているときは、シーム板９下面から輻射熱を放出していることとなる。
【０００６】
湯を所望のときは、操作部（図示せず）から遠心ポンプ１１を駆動して昇水し給湯口１２を介して給湯するものである。湯が少なくなると蓋１５を開き、所望の水を容器１内に注水すると、制御回路１０が温度検知素子１３で湯温を検知して前述のようにして湯を沸かしてから保温するものである。
【０００７】
【発明が解決しようとする課題】
しかしながら、上記のような従来の構成では、第１に、加熱装置３の熱容量（ヒートマス）が大きく加熱レスポンスが遅く、また、温度検知素子１３で湯温を検知して制御回路１０で加熱装置３へ通電して湯温を制御するときの通電と、湯温上昇の時間のずれが大きく制御しにくい。第２に、湯沸かし中や保温時に加熱装置３へ通電すると、シーム板９の温度が湯沸かし時には約２５０度になり、保温時には１００度以上になり、容器１の底部近傍に配置した部品をより耐熱の高い材料で形成するか、加熱装置３から距離をおいて配置させる必要がある。第３に、加熱装置３へ通電しているときは、シーム板９から下方に熱が輻射により放散して熱効率が悪い。第４に、加熱装置３を構成する第１の絶縁物４と、第２の絶縁物６と、第３の絶縁物８と、湯沸かし電熱線５と、保温電熱線７の各部品を別々に加工する必要がある。
【０００８】
本発明は、上記従来の課題を解決するもので、加熱時のレスポンス性能と温度制御性能を向上させるとともに、熱伝導率を高めることにより加熱装置周辺の温度上昇を抑え、かつ加工上の問題もなくした電気湯沸かし器を提供することを目的とする。
【０００９】
【課題を解決するための手段】
上記目的を達成するために本発明の電気湯沸かし器は、貯湯用の容器の底部下面の加熱部を、印刷で形成した第１の絶縁層と、第１の絶縁層上に印刷で形成した電気抵抗体層と、前記第１の絶縁層と電気抵抗体層上に印刷で形成した第２の絶縁層とにより構成し、容器の底部には加熱部を中央部とその外周部に区分する位置に凹部を設けたものである。さらに、容器の底部に設けた凹部は環状に形成し、少なくとも１カ所は加熱部の中央部と外周部とを同一面で結ぶようにしたものである。
【００１０】
これによって、加熱部の熱容量が小さく加熱時のレスポンス性能と温度制御性能を向上させるとともに、熱伝導率を高めて加熱部の温度上昇を抑え周辺に配置する部品の温度を低下させ、また、加熱部を構成する部品点数を低下させて加工上もすぐれたものとなる。さらに、中央部と外周部の加熱部が電気的に連続接続となり、端子などの接続を少なくできて、電気的に安定させることができる。
【００１１】
【発明の実施の形態】
請求項１に記載の本発明は、貯湯用の容器と、この容器の底部下面に印刷で形成した第１の絶縁層と第１の絶縁層上に印刷で形成した電気抵抗体層と前記第１の絶縁層と電気抵抗体層上に印刷で形成した第２の絶縁層とを備えた加熱部と、前記電気抵抗体層に電気的に接続した端子とを備え、前記容器の底部には加熱部を中央部とその外周部に区分する位置に凹部を設け、さらに、容器の底部に設けた凹部は環状に形成し、少なくとも１カ所は加熱部の中央部と外周部とを同一面で結ぶようにした電気湯沸かし器とすることにより、加熱部の熱容量が小さく加熱時のレスポンス性能と温度制御性能を向上させるとともに、熱伝導率を高めて加熱部の温度上昇を抑え周辺に配置する部品の温度を低下させ、また、加熱部を構成する部品点数を少なくし加工上もすぐれたものとなる。さらに、中央部と外周部の加熱部が電気的に連続接続となり、端子などの接続を少なくできて、電気的に安定させることができる。
【００１２】
請求項２記載の発明は、容器の底部は略球面状に湾曲させた電気湯沸かし器とすることにより、容器の底部は必ず凸方向となるため、底部の印刷面の寸法が安定化し、熱変形が一方向となり熱による底部のそりなどの寸法変化を小さくでき、容器底部の肉厚も薄くでき熱効率を向上させることもできる。
【００１３】
【実施例】
以下、本発明の実施例について、図１、図２、図３を参照しながら説明する。図において、２０は貯湯用の容器で、上部を開口し上端全周に水平方向にフランジ２１を設けた円筒状の側壁２２と底部２３から構成されている。底部２３は、実際には、側壁２２下端に下方から圧入して外周を側壁２２と水密的に溶接しているものである。２４は底部２３から一段下方に凸になるように絞り加工で形成された段部である。段部２４は相対する２カ所に平行な直線の段部である直線部２５を絞り加工で形成し、他の部分は底部２３の外周からほぼ均等な距離で絞り加工されている。段部２４は全体としては平面形状が小判形をしている。本実施例では、段部２４は平面ではなく、略球面状に湾曲させた形状をしている。すなわち、容器２０の底部２３の中央部が一番深い絞り加工になるように下方に凸な形状をしているが、平面形状であってもよい。また、段部２４の面には、凹部２６が段部２４を内側と外側に区分けする位置に環状に配置してあり、凹部２６は少なくとも１カ所が切れていて、前記段部２４の内側と外側とを結ぶ面を形成してある。
【００１４】
なお、段部２４は実施例では底部２３から下方に凸になるように形成されているが、逆向きに凸として略球面状に湾曲させた形状に形成してもよい。また凹部２６は、実施例では段部２４の下面から容器２０内側に向かって凸となるように形成されているが、これも逆向きに形成しても構わない。そしてまた、段部２４と凹部２６の向きは適宜の組み合わせが考えられるものである。
【００１５】
２７は段部２４の外周近傍に穴を開けてステンレスパイプを咬めて水密的に形成した流出口であり、遠心ポンプ２８に連通し、昇水パイプ２８ａを通して容器２０内の湯を抽出するようになっている。流出口２７は底部２３と別部品とすることで、流出口２７の取付加工を任意の行程で行うことができるようにしている。
【００１６】
２９は底部２３下面、すなわち段部２４下面の凹部２６を除くほぼ全面にあたる印刷面であり、ここに加熱部３０が印刷形成される。
【００１７】
加熱部３０は以下のような構造になっている。まず印刷面２９全面に無機質であるガラスを主成分とする絶縁物を３層のシルク印刷で約５０マイクロメートルから約２００マイクロメートルに積層して第１の絶縁層３１を形成する。この第１の絶縁層３１の厚みは定格電圧や必要とする絶縁耐力によって印刷回数や印刷時のインクの濃度を調節して所望の厚さにする。印刷状態のまま電気炉で約１０分間約８００度で焼結する。するとステンレス鋼板（ＪＩＳ規格のＳＵＳ４４４相当）の線膨張係数１０．５〜１１．９×１０のマイナス６乗とほぼ同じ膨張係数の第１の絶縁層３１が完成する。この時、約８００℃まで加熱するため、段部２４の印刷面２９の熱ひずみを少なくすることが重要となってくる。しかし、凹部２６が、段部２４全体が膨張する熱応力の吸収方向に配置してあり、熱ひずみを少なくして安定した加工ができる。
【００１８】
次に図３に示しているように、第１の絶縁層３１上に、金属酸化物を主成分とする適度な電気抵抗を持った抵抗体を含んだインクで電気抵抗体層３２をシルク印刷で形成する。電気抵抗体層３２は、肉厚により抵抗値がバラツキ、入力（Ｗ）も比例してバラツキ、製品上の大きな課題となるため、シルク印刷の印刷肉厚バラツキを少なくする。その大きな要因となる、段部２４の印刷面２９の寸法安定性が重要となるが、凹部２６のプレス加工による寸法決め押しにより、寸法バラツキの少ない安定した印刷面２９としている。電気抵抗体層３２の印刷パターンは、底部２３の中央部と外周部にそれぞれ幅広の湯沸かし回路３２ａと、湯沸かし回路３２ｂを設け、その間には幅の狭い保温回路３２ｃを同心円状に形成している。
【００１９】
また湯沸かし回路３２ａ、３２ｂと保温回路３２ｃは、共通端子３３に一端を接続して他端はそれぞれ湯沸かし端子３４と保温端子３５と接続している。そして、湯沸かし回路３２ａ、３２ｂ、保温回路３２ｃ、共通端子３３、湯沸かし端子３４及び保温端子３５は、電気炉内で約１０分間約８００℃で焼成することにより、これらにより電気抵抗体層３２を形成している。なお、凹部２６は、加熱部３０を中央部とその外周部に、すなわち湯沸かし回路３２ａ及び保温回路３２ｃと、湯沸かし回路３２ｂに区分けする位置に設けてあり、湯沸かしの高加熱による熱応力を分散させている。また、凹部２６は、環状の少なくとも１カ所が切れていて、加熱部３０の中央部と外周部とを同一面で結ぶ面を形成してあるため、加熱部３０が電気的に連続接続となっている。
【００２０】
次に、共通端子３３と湯沸かし端子３４と保温端子３５を銀を主成分とする銀ろう付け加工を表面に施す。同心円状の電気抵抗体層３２を中心から放射状方向に接続するのは、共通端子３３と湯沸かし端子３４と保温端子３５と同じ銀を主成分とする銀ろう材３６である。これも銀ろう材３６をシルク印刷してから電気炉で焼結して形成する。
【００２１】
次に、第１の絶縁層３１の範囲から共通端子３３と湯沸かし端子３４と保温端子３５を除く範囲を無機質であるガラスを主成分とする絶縁物を１層にシルク印刷で約２０マイクロメートルの厚さに積層して第２の絶縁層３７を形成する。この第２の絶縁層３７の厚みは定格電圧や必要とする絶縁耐力によって印刷回数や印刷時のインクの濃度を調節して所望の厚さにする。印刷状態のまま電気炉で約１０分約８００℃で焼結する。するとステンレス鋼板（ＪＩＳ規格のＳＵＳ４４４相当）の線膨張係数１０．５〜１１．９×１０のマイナス６乗とほぼ同じ膨張係数の第２の絶縁層３７が完成する。
【００２２】
以上の第１の絶縁層３１と電気抵抗体層３２と第２の絶縁層３７とで加熱部３０が形成されている。
【００２３】
３８は共通端子３３と湯沸かし端子３４と保温端子３５とに銀ろう付けで接続された金属製の端子であり、黄銅にスズ鍍金を施した材料または鉄にニッケル鍍金を施した材料をプレス加工で打ち抜いて形成している。
【００２４】
３９は容器２０の底部２３で段部２４の直線部２５近傍に溶接して固定された一対の取付具である。取付具３９は下端にねじ穴４０が設けてあり、止めねじ４２で湯沸かし器の外装体４１下部を固定している。外装体４１の上部は実質的に容器２０のフランジ２１の下面に押し当てられている。ここで、取付具３９を底部２３に溶接するのは、外装体４１の底板４２と容器２０の底部２３間に形成される空間に、制御回路４３を内蔵した防水ケース４４を収納するからである。また取付具３９は外装体４１を締め付けて固定するので、締め付けによる応力を底部２３に加えることとなるが、その応力を印刷面２９に伝わりにくくするためである。印刷面２９には焼結した加熱部３０が固着しているので、これに応力が加わらないようにすることが重要である。
【００２５】
４５は底部２３の中央下面に備えられたサーミスタで形成された温度検知素子であり、底部２３下面を介して容器２０内の温度を検知する。４６は加熱部３０の外側に位置して設けた断熱材であり、ガラス繊維、発泡シリコンゴム、熱変形温度が２００度以上の熱可塑性樹脂の発泡材、無機質材料の積層材等で形成され、遮熱機能を兼ね備えた保持板４７にて保持されている。４８は湯沸かし器の蓋である。
【００２６】
以上のように構成された電気湯沸かし器についてその動作を説明する。湯沸かし制御、ポンプによる給湯等、基本的な動作は従来の技術の動作と同じであるので、詳細は省略する。
【００２７】
湯沸かし時には、制御回路４３が温度検知素子４５からの信号で容器２０内の水温を検知して湯沸かしモードに入り、湯沸かし回路３２ａ、３２ｂと保温回路３２ｃに通電する。湯沸かし回路３２ａ、３２ｂと保温回路３２ｃはジュール熱により発熱して約１５０度の温度になり、第１の絶縁層３１と第２の絶縁層３７に熱が伝導する。したがって、第１の絶縁層３１から容器２０の底部２３を介して容器２０内の水を加熱する。ここで、第１の絶縁層３１は底部２３と電気抵抗体層３２とにそれぞれ焼結で密着しているので熱伝導が非常にすぐれており、発熱した熱が電気抵抗体層３２に滞留することなく容器２０内の水を加熱することとなる。この状態で湯沸かしが進行する。
【００２８】
また、電気抵抗体層３２が通電とともに急激に温度上昇するので熱膨張係数に見合う膨張が発生する。温度上昇は急激で局部的な発生であり、電気抵抗体層３２が熱膨張する瞬間はまだステンレス鋼板で形成された底部２３は温度上昇していないので、電気抵抗体層３２と底部２３の層状構成においてバイメタルのような挙動をする。その熱応力を湯沸かし回路３２ａ、３２ｂを区分けした位置に凹部２６を配置したため、凹部２６の内側の加熱と外側の加熱の熱応力を分散させる働きを行っている。また、印刷面２９は熱膨張による応力をその曲率がわずかに変化することで吸収してしまう。印刷面２９の熱膨張による曲率の変化は底部２３の取付具３９には伝わらないために、外装体４１の締め付け寸法には影響しない。印刷面２９の熱膨張による変化はそれ以外の部品へ応力の影響を与えないこととなる。
【００２９】
やがて容器２０内の水は沸騰する。温度検知素子４５が約１００度の沸騰温度または温度上昇が停止して一定温度になったことを検知して制御回路４３が湯沸かし回路３２ａ、３２ｂと保温回路３２ｃの通電を停止する。このとき電気抵抗体層３２と第１の絶縁層３１および第２の絶縁層３７は熱容量（ヒートマス）が小さく温度上昇も比較的少ない上に、前述のように電気抵抗体層３２と第１の絶縁層３１と底部２３はそれぞれ焼結で熱伝導が良いため、通電を停止して１秒程度で底部２３からの沸騰時の蒸気の泡は発生しなくなる。これにより沸騰直後に遠心ポンプ２８を作動させても泡を巻き込んで給湯能力が低下することはない。
【００３０】
以上のように実施例によれば、第１に、電気抵抗体層３２と絶縁層３１と第２の絶縁層３７のトータルの熱容量が非常に小さいので、加熱時のレスポンスが良く温度制御しやすく、熱効率も高くなる。第２に、電気抵抗体層３２は薄くて熱伝導度が高いガラス材質の絶縁層３１を介して段部２４に密着しているため熱伝導が良く、加熱部３０の温度上昇が低く、容器２０下部の温度上昇が小さくなり（断熱材４５、保持板４７の存在により、より一層温度上昇は抑えられる）、容器２０下部近傍に配置する部品の耐熱温度を低く設定することができる。第３に、印刷による電気抵抗体層３２と絶縁層３１と第２の絶縁層３７の形成は各部品の加工行程を著しく簡素化でき、しかも印刷加工では余分な廃材がないために地球環境にも優しい加工が行える。第４に、凹部２６のプレス加工による寸法決め押しにより、寸法バラツキの少ない安定した印刷面２９として、シルク印刷の印刷肉厚バラツキを少なくすることができて、電気抵抗体層３２の肉厚による抵抗値のバラツキが小さくなり、入力（Ｗ）バラツキの小さな安定した製品となる。第５に、凹部２６が段部２４全体が膨張する熱応力の吸収方向に配置してあり、電気抵抗体層３２と絶縁層３１と第２の絶縁層３７を形成するために約８００℃まで加熱しても、段部２４の印刷面２９の熱ひずみを少なくすることができ安定化させる。第６に、略球面状に湾曲させた印刷面２９に凹部２６を形成することで、熱変形が一方向となり印刷面２９の寸法が安定化するとともに、段部２４のソリなどの寸法変化を小さくでき、段部２４の肉厚が薄くても発熱による熱膨張の応力を吸収することができ、また強度も高くなり、さらに段部２４の熱容量が小さくなる分、熱効率と熱応答性が向上する。第７に、加熱部３０を区分けした位置に凹部２６を配置したため、凹部２６の中央部と外周部（内側と外側）の加熱の熱応力を分散させる働きを行い、加熱部３０のＯＮ・ＯＦＦによるヒートサイクルに対応できる熱構造となる。第８に、絶縁層３１はガラス材質で形成されているために物の落下による局部的な衝撃強度を受けるとひび割れをおこして絶縁不良となる恐れがあるが、凹部２６により物の落下による局部的な衝撃を受け止めて力を凹部２６全体で分散させるため、絶縁層３１を衝撃強度から守る構造としている。第９に、凹部２６は少なくとも１カ所が切れていて、段部２４の中央部と外周部（内側と外側）を結ぶ面を形成してあるため、電気抵抗体層３２が電気的に連続接続となり、加熱部３０に接続する湯沸かし端子３４などの接続を少なくできて、電気的により安定に安価にできる。
【００３１】
なお、加熱部３０の印刷工程を側壁２２と底部２３を溶接して容器２０を形成した後としたが、底部２３のみの状態のときに先に印刷加工を施してから側壁２２と底部２３の溶接加工を施しても良い。
【００３２】
また、印刷加工をシルク印刷加工法としたが、転写等の異なる印刷方法でも良い。要は液体状の材料を容器２０の底部２３に固着させればよい。
【００３３】
【発明の効果】
以上のように本発明の電気湯沸かし器は、貯湯用の容器と、この容器の底部下面に印刷で形成した第１の絶縁層と第１の絶縁層上に印刷で形成した電気抵抗体層と前記第１の絶縁層と電気抵抗体層上に印刷で形成した第２の絶縁層とを備えた加熱部と、前記電気抵抗体層に電気的に接続した端子とを備え、前記容器の底部には加熱部を中央部とその外周部に区分する位置に凹部を設け、さらに、容器の底部に設けた凹部は環状に形成し、少なくとも１カ所は加熱部の中央部と外周部とを同一面で結ぶようにした電気湯沸かし器とすることにより、加熱部の熱容量が小さく加熱時のレスポンス性能と温度制御性能を向上させるとともに、熱伝導率を高めて加熱部の温度上昇を抑え周辺に配置する部品の温度を低下させ、また、加熱部を構成する部品点数を少なくし加工上もすぐれたものとなる。
【図面の簡単な説明】
【図１】本発明の実施例を示す電気湯沸かし器を一部切り欠いて示した断面図
【図２】同電気湯沸かし器の加熱部の平面図
【図３】同電気湯沸かし器の加熱部の部分断面図
【図４】従来の電気湯沸かし器を一部切り欠いて示した断面図
【図５】従来の電気湯沸かし器の加熱部を示す部分断面図
【符号の説明】
２０  容器
２３  底部
２６  凹部
３０  加熱部
３１  第１の絶縁層
３２  電気抵抗体層
３７  第２の絶縁層
３８  端子
【図１】
0003578123.tif 000002
【図２】
0003578123.tif 000003
【図３】
0003578123.tif 000004
【図４】
0003578123.tif 000005
【図５】
0003578123.tif 000006